(57)【要約】【課題】相手の電子機器に、認証情報または認証情報と関連する認証データを受け渡さなくとも、無線通信路を形成可能とする無線システムを提供する。【解決手段】認証カード４は端末機器と同じ認証情報を記憶の記憶部と記憶部に接続の無線制御部と無線制御部に接続の無線端子を有し、無線制御部で認証情報または認証情報と関連する認証データを無線端子に伝達し、電子機器３は無線端子に接続される制御端子と制御端子に接続の機器無線信号部を有し、機器無線信号部で認証情報または認証データを無線にして送信し、端末機器２は認証カードと同じ認証情報を記憶の端末記憶部と端末無線信号部と端末無線信号部および端末記憶部に接続の端末無線制御部を有し、端末無線制御部で、端末無線信号部が受信する認証情報または認証データが端末記憶部に記憶の認証情報または認証情報と関連する認証データと同じかを確認する。【選択図】　図１
2004096317.tif 000002
【特許請求の範囲】
【請求項１】
認証カードと電子機器と端末機器からなり、
前記認証カードは、前記端末機器と同じ認証情報を記憶のカード記憶部と、該カード記憶部に接続のカード無線制御部と、該カード無線制御部に接続の無線端子を有し、前記カード無線制御部で前記認証情報または該認証情報と関連する認識データを前記無線端子に伝達し、
前記電子機器は、前記無線端子に接続される制御端子と、該制御端子に接続の機器無線信号部を有し、前記機器無線信号部で前記認証情報または前記認証データを無線にして送信し、
前記端末機器は、前記認証カードと同じ認証情報を記憶の端末記憶部と、端末無線信号部と、該端末無線信号部および前記端末記憶部に接続の端末無線制御部を有し、前記端末無線制御部で、前記端末無線信号部が受信する前記認証情報または前記認証データが、前記端末記憶部に記憶の認証情報または該認証情報と関連する認証データと同じかを確認して、前記認証カードの承認をし、
前記認証カードの認証情報または該認証情報と関連する認証データを前記電子機器に受け渡さなくとも、前記電子機器と前記端末機器の間に、前記認証カードの認証情報または前記認証データに基づいた無線通信路を形成可能とすることを特徴とする無線システム。
【請求項２】
認証カードと電子機器と端末機器からなる無線システムに用いられる前記認証カードであって、
前記端末機器と同じ認証情報を記憶のカード記憶部と、該カード記憶部に接続のカード無線制御部と、該カード無線制御部に接続の無線端子を有し、前記カード無線制御部で前記認証情報または該認証情報と関連する認証データを前記無線端子に伝達することを特徴とする認証カード。
【請求項３】
認証カードと電子機器と端末機器からなる無線システムに用いられる前記電子機器であって、
前記認証カードの無線端子に接続される制御端子と、該制御端子に接続の機器無線信号部を有し、前記機器無線信号部で前記認証カードからの認証情報または該認識情報と関連する認証データを無線にして送信することを特徴とする電子機器。
【請求項４】
請求項２記載の認証カードにおいて、前記カード無線制御部を前記端末機器の端末無線制御部に接続するための認証端子を有し、該認証端子を介して前記認証カードが前記端末機器と接続されることにより、同じ認証情報を生成可能としたことを特徴とする認証カード。
【請求項５】
認証カードと電子機器と端末機器からなる無線システムに用いられる前記端末機器であって、
前記認証カードと同じ認証情報を記憶の端末記憶部と、端末無線信号部と、該端末無線信号部および前記端末記憶部に接続の端末無線制御部を有し、前記端末無線制御部で、前記端末無線信号部が受信する前記認証情報または該認証情報と関連する認証データが、前記端末記憶部に記憶の認証情報または該認証情報と関連する認証データと同じかを確認して、前記認証カードの承認をし、
さらに、前記端末無線制御部を前記認証カードのカード無線制御部に接続するための機器端子を有し、該機器端子を介して前記認証カードが接続されることにより、前記端末無線制御部で前記認証カードと前記端末機器共通の同じ認証情報を生成することを特徴とする端末機器。
【請求項６】
請求項２または４記載の認証カードにおいて、前記カード無線制御部は、前記無線端子に前記電子機器の機器無線信号部が接続されたことを検出し、検出すると前記電子機器からの指示がなくとも自動的に前記端末機器との接続処理を開始することを特徴とする認証カード。
【請求項７】
請求項２，４または６記載の認証カードにおいて、前記カード無線制御部が前記電子機器の前記機器無線信号部を介して前記端末機器との間で送受信した情報を前記電子機器との間で入出力するための情報端子を有し、前記認証カードを前記電子機器に接続し、前記端末機器との間に前記認証情報または該認証情報と関連する認証データに基づいた無線通信路が形成された後に、前記端末機器と前記電子機器が、前記認証情報以外の情報の送受信を、前記カード無線制御部と前記情報端子を介して行うことを可能とすることを特徴とする認証カード。
【発明の詳細な説明】
【０００１】
【発明の属する技術分野】
本発明は、認証情報または認証情報と関連する認識データに基づいた無線通信路を形成可能にして、情報の送受信を行う無線システムおよびそれに用いる認証カード、電子機器ならびに端末機器に関する。
【０００２】
【従来の技術】
従来、認証情報または認証情報と関連する認証データに基づいた無線通信路を形成するように構成された端末機器は、お互いに接続の可能性がある複数の端末間で予め認証情報を生成するための接続を行い、そのときに生成した認証情報をおのおのが保持するか、または特開２００１−１８９７２２号公報のように自端末用の認証情報を予め記憶したカードを相手機器に接続して、認証情報を相手機器に転送するように構成して、承認された無線通信路の形成と無線区間の暗号化を実現している。
【０００３】
【発明が解決しようとする課題】
しかし、いつも特定の端末機器に接続をする場合は、一度相手と事前に接続をして認証情報を生成し、これを記憶するようにすれば済むが、モバイル環境のようにユーザの端末機器がいろいろな場所に移動すると、接続先となる相手端末機器を必ずしも特定できず、予め認証情報を生成することは難しい。一方、接続をするたびに前記のような認証情報を保持したカードから相手機器へこの認証情報を転送する手法は、認証情報を外部に開示することになるので好ましくない。
【０００４】
本発明の目的は、相手の電子機器に認証情報または認証情報と関連する認証データを受け渡さなくとも、認証情報または認証情報と関連する認証データに基づいた無線通信路を形成可能とする無線システムおよびそれに用いる認証カード、電子機器ならびに端末機器を提供することにある。
【０００５】
【課題を解決するための手段】
本発明は、認証カードと電子機器と端末機器からなり、前記認証カードは、前記端末機器と同じ認証情報を記憶のカード記憶部と、該カード記憶部に接続のカード無線制御部と、該カード無線制御部に接続の無線端子を有し、前記認証情報または前記カード無線制御部で前記認証情報から生成の認証データを前記無線端子に伝達し、前記電子機器は、前記無線端子に接続される制御端子と、該制御端子に接続の機器無線信号部を有し、前記認証情報または前記認証データを前記機器無線信号部で無線にして送信し、前記端末機器は、前記認証カードと同じ認証情報を記憶の端末記憶部と、端末無線信号部と、該端末無線信号部および前記端末記憶部に接続の端末無線制御部を有し、前記端末無線制御部で、前記端末無線信号部が受信する前記認証情報または前記認証データが、前記端末記憶部に記憶の認証情報または該認証情報と関連する認証データと同じかを確認して、前記認証カードの承認をし、前記認証カードの認証情報または該認証情報と関連する認証データを前記電子機器に受け渡さなくとも、前記電子機器と前記端末機器の間に、前記認証カードの認証情報または前記認証データに基づいた無線通信路を形成可能とすることを特徴とする無線システムである。
【０００６】
本発明は、認証カードと電子機器と端末機器からなる無線システムに用いられる前記認証カードであって、前記端末と同じ認証情報を記憶のカード記憶部と、該カード記憶部に接続のカード無線制御部と、該カード無線制御部に接続の無線端子を有し、前記カード無線制御部で前記認証情報または該認証情報と関連する認証データを前記無線端子に伝達することを特徴とする認証カードである。
【０００７】
本発明は、認証カードと電子機器と端末機器からなる無線システムに用いられる前記電子機器であって、前記認証カードの無線端子に接続される制御端子と、該制御端子に接続の機器無線信号部を有し、前記機器無線信号部で前記認証カードからの認証情報または該認証情報と関連する認証データを無線にして送信することを特徴とする電子機器である。
【０００８】
本発明は、上記認証カードにおいて、前記カード無線制御部を前記端末機器の端末無線制御部に接続するための認証端子を有し、該認証端子を介して前記認証カードが前記端末機器と接続されることにより、同じ認証情報を生成可能としたことを特徴とする認証カードである。
【０００９】
本発明は、認証カードと電子機器と端末機器からなる無線システムに用いられる前記端末機器であって、前記認証カードと同じ認証情報を記憶の端末記憶部と、端末無線信号部と、該端末無線信号部および前記端末記憶部に接続の端末無線制御部を有し、前記端末無線信号部で受信する前記認識情報または該認識情報と関連する認証データが、前記端末記憶部に記憶の認証情報または該認証情報と関連する認証データと同じかを確認して、前記認証カードの承認をし、さらに、前記端末無線制御部を前記認証カードのカード無線制御部に接続するための機器端子を有し、該機器端子を介して前記認証カードが接続されることにより、前記端末無線制御部で前記認証カードと前記端末機器共通の同じ認証情報を生成することを特徴とする端末機器である。
【００１０】
本発明は、上記認証カードにおいて、前記カード無線制御部は、前記無線端子に前記電子機器の機器無線通信部が接続されたことを検出し、検出すると前記電子機器からの指示がなくとも自動的に前記端末機器との接続処理を開始することを特徴とする認証カードである。
【００１１】
本発明は、上記記載の認証カードにおいて、前記カード無線制御部が前記電子機器の前記機器無線信号部を介して前記端末機器との間で送受信した情報を前記電子機器との間で入出力するための情報端子を有し、前記認証カードを前記電子機器に接続し、前記端末機器との間に前記認証情報または該認証情報と関連する認証データに基づく無線通信路が形成された後に、前記端末機器と前記電子機器が前記認証情報以外の情報の送受信を、前記カード無線制御部と前記情報端子を介して行うことを可能とすることを特徴とする認証カードである。
【００１２】
【発明の実施の形態】
以下、本発明の各実施の形態を図を用いて詳細に説明する。
【００１３】
図１は、本発明の第一の実施の形態に係わる無線システムの概念図である。本実施の形態は、スーパーマーケットのレジスタ３において、ユーザ１が手元の端末機器２に記憶された決済情報２７により支払いを行う場合を想定しており、決済情報２７は無線でレジスタ３に転送され決済処理部３５で処理される。この際、無線通信路５で決済情報２７が外部に漏れないようにするために、端末機器２と対になった認証情報６を記憶した認証カード４を、相手となる電子機器（本実施の形態ではレジスタ３）に接続することにより、認証カード４の認証情報６と関連する認証データに基いた無線通信路５を形成可能とするように動作する。
【００１４】
図２は、本発明の第一の実施の形態の端末機器の詳細な構成を示すものである。
【００１５】
図２において、１は端末機器２のユーザ、２はユーザ１が所持している端末機器で、後述の無線制御部２１２と無線信号部２１１と端末固有情報記憶部２１３からなる無線通信部２１と、無線制御部２１２を後述する図４の認証カード４が備える無線制御部４２と直結するための機器端子２２と、後述する認証情報６を記憶する認証情報記憶部２３と、アプリケーションソフト２４１を実行して無線通信部２１とのデータ入出力およびユーザ１が端末機器２を操作するための入出力インターフェース２４２の制御を行う端末機器制御部２４と、ユーザ１の銀行口座情報やクレジット番号など電子決済に必要となる決済情報２７を記憶している決済情報記憶部２８を有する。
【００１６】
なお、決済情報２７を決済情報記憶部２８から呼び出すためにはユーザ認証を行うなど耐タンパ性が保たれる必要があることは周知であるから、本実施の形態においてはその動作説明は割愛する。
【００１７】
また、無線通信部２１において、２１２は無線信号部２１１を制御する無線制御部で、相手機器から後述の端末固有情報記憶部２１３に記憶された端末固有情報２５を無線信号部２１１を介して受信すると、無線制御部２１２で、続いて相手機器から受信した認証データ６’が認証情報記憶部２３に記憶されている認証情報６から生成した認証データ６’と比較して同じか否か確認し、同じと確認された後は認証データ６’に基づいた無線通信路５を相手機器との間に形成可能とする。２１１はアンテナ２６を介して相手端末との間で無線による信号の受発信を行う無線信号部で、２１３は相手機器が端末機器２と無線を介して通信を行う時に、端末機器２を通信相手として指定するために使用する端末機器２に固有の情報である端末固有情報２５を記憶する端末固有情報記憶部である。
【００１８】
図３は、本発明の第一の実施の形態のレジスタの詳細な構成を示すものである。
【００１９】
図３において、３はスーパーマーケットのレジスタであり、３１はアンテナ３４を介して相手端末２との間で無線による信号の受発信を行う無線信号部、３２は後述の認証カード４を接続するための制御端子、３３も同じく認証カード４を接続するためのデータ端子で、ただしデータ端子３３は制御端子３２を介して送受信されるデータにおいて認証データ６’と端末固有情報２５を除くデータをレジスタ３の決済処理部３５との間で入出力するために使われる。３５はレジスタ３が決済処理を実行するための決済処理部で、データ端子３３を介して入力されたユーザ１の決済情報２７を用いて電子決済を行う。３６は決済処理部３５が処理を完了したことを示す完了情報である。
【００２０】
図４は、本発明の第一の実施の形態の認証カードの詳細な構成を示すものである。
【００２１】
図４において、４はユーザ１が所持する認証カードであり、後述の認証情報６と端末固有情報２５を記憶する認証情報記憶部４１と、図２の端末機器２が備える無線制御部２１２と同等の機能を有する無線制御部４２と、無線制御部４２を図３の制御端子３２に接続するための無線端子４３と、図３の無線通信路５が形成した後に無線端子４３を介して送受信される情報を後述のカード制御部４６が外部機器と入出力するための情報端子４４と、無線制御部４２を図２の無線通信部２１の機器端子２２に接続する認証端子４５と、無線制御部４２に接続され、アプリケーションの実行および外部機器との間で必要となるデータの送受信を情報端子４４を介して行うカード制御部４６と、認証情報６の生成をするために使用する認証カード毎に固有の情報であるカード固有情報４８を記憶するカード固有情報記憶部４７を有する。
【００２２】
なお、図１、図２、図３および図４において、５は認証情報６と関連する認証データ６’に基づいて形成される無線通信路で、認証情報６や決済情報２７、端末固有情報２５および完了情報３６等が授受されるために使われる。６は端末機器２の無線制御部２１２と認証カード４の無線制御部４２との間で前述した端末固有情報２５とカード固有情報４８に基づいて生成された認証情報で、認証情報６は認証カード４を利用する前に、予め端末機器２の機器端子２２と認証カード４の認証端子４５を接続して互いに必要な固有情報を交換することによって、相互に認証された情報として生成され、認証情報記憶部２３と認証情報記憶部４１に記憶される。
【００２３】
図５は、ユーザ１が認証情報６を端末機器２と認証カード４に設定するときの動作の流れを示す図である。ここでは、ユーザ１は初めて認証カード４との間に認証情報６を設定しようとしているものとする。
【００２４】
なお、端末機器２の無線制御部２１２および認証カード４の無線制御部４２が認証情報６と関連する認証データ６’で無線通信路５を形成する過程は、まず両方の機器が等しい認証情報を有していることを確認するために、例えばチャレンジハンドシェイク認証プロトコル（ＣＨＡＰ：ＲＦＣ１３３４）を利用すれば、直接認証情報６を送信し合うことなく、認証情報６と関連する認証情報６で、双方が情報の確かさを確認することが可能であることは周知の通りであり、本実施の形態においてもこのような認証情報６と関連する認証データ６’の送受信で認証データ６’の確かさを承認した後に、認証データ６’に基づいた無線形成路５を形成可能とすることを想定する。
【００２５】
本実施の形態の動作を図１、図２、図３、図４および図５を用いて説明する。
【００２６】
まず図５により、ユーザ１が無線通信路５を形成するために必要となる認証カード４に認証情報６を設定する動作から説明する。なお、図５においてＳ１からＳ８は設定の順序を示している。
【００２７】
まず、ユーザ１は認証情報の登録作業を開始する（Ｓ１）。つぎに、ユーザ１が手元の認証カード４を端末機器２に接続する（Ｓ２）。接続は認証カード４の認証端子４５を端末機器２の機器端子２２に接続することにより行われる。認証カード４を接続されると、端末機器２の無線制御部２１２は認証カード４が機器端子２２を介して接続されたことを検出し（Ｓ３）、認証カード４の無線制御部４２に対してカード固有情報４８を出力するように要求する（Ｓ４）。
【００２８】
そして、カード固有情報４８を取得した無線制御部２１２は、端末固有情報２５を端末固有情報記憶部２１３から呼び出し（Ｓ５）、これら２つの固有情報から認証情報６を生成する（Ｓ６）。最後に、無線制御部２１２は生成した認証情報６を機器端子２２を介して認証カード４へ出力すると共に、認証情報記憶部２３に記憶をする（Ｓ７）。また、このとき端末固有情報２５も認証カード４へ出力する（Ｓ８）。
【００２９】
一方、認証カード４の無線制御部４２は認証情報６と端末固有情報２５を認証端子４５を介して受信すると、これを認証情報記憶部４１に格納する（Ｓ９）。
【００３０】
以上の様にして認証情報６の登録が端末機器２と認証カード４の双方で完了する（Ｓ１０）。
【００３１】
次に図２、図３及び図４を用いて、ユーザ１が図１に示す様にレジスタ３において端末機器２を無線通信路５を介して接続し、決済を行う動作を説明する。
【００３２】
まず、ユーザ１は自分が所持している予め認証情報６の登録処理を行った認証カード４をレジスタ３に接続する。ここでは、認証カード４の無線端子４３がレジスタ３の制御端子３２へ、また認証カード４の情報端子４４がレジスタ３のデータ端子３３へそれぞれ接続される。認証カード４の無線制御部４２は無線端子４３を介してレジスタ３の無線信号部３１に接続されたことを検出すると、カード制御部４６に対して内蔵しているアプリケーションを起動するように指示する。起動したアプリケーションはまず無線制御部４２に対して、認証カード４と認証情報６が対になっている端末機器２への無線接続処理を開始するように指示する。すると指示を受けた無線制御部４２は、認証情報記憶部４１に記憶している端末固有情報２５を読み出し、これを無線端子４３と制御端子３２を介して無線信号部３１へ入力する。無線信号部３１は入力された端末固有情報２５を電波に乗せてアンテナ３４から発信する。
【００３３】
一方、同じ端末固有情報２５を持つユーザ１の端末機器２はアンテナ２６と無線信号部２１１を介して同情報を受信すると、無線制御部２１２によって自端末が呼び出されたことが検出され、この検出結果が端末機器制御部２４へ通知される。すると端末機器制御部２４に格納されたアプリケーションソフト２４１が起動し、入出力インターフェース２４２を介してユーザ１に対してレジスタ３から無線接続の呼び出しが来ている旨の通知が行われ、ユーザ１からこれに対して入出力インターフェース２４２を介して無線接続の呼び出しに応答を返すように入力があると、無線制御部２１２は受け付けたことをレジスタ３に応答する。
【００３４】
端末機器２から応答があると、レジスタ３に接続された認証カード４のカード制御部４６のアプリケーションは、無線通信路５を確立するために、無線制御部４２に対して認証情報記憶部４１に記憶している認証情報６を端末機器２へ向けて発信するように無線制御部４２に指示する。認証情報６を読み出した無線制御部４２は、この情報から前述したように、例えばチャレンジハンドシェイク認証プロトコルを利用して、認証情報６を直接発信せずに、その代わりとなる認証情報６と関連する認証データ６’を、演算によって生成し、これを端末機器２へ向けて、レジスタ３の無線信号部３１を介して発信する。
【００３５】
認証カード４の認証有情報６と関連する認証データを受信した端末機器２の無線制御部２１２は、認証情報記憶部２３に予め記憶された認証情報６を取り出し、これを認証カード４の無線制御部４２がチャレンジハンドシェイク認証のために行ったのと同じ演算方法によって認証データ６’を生成し認証情報６と関連する認証データ６’を得る。そして、ここで生成した認証データと先に受信した認証データとを比較し、両者が同じかを確認すると、端末機器２は認証カード４の承認が完了したと判定し、レジスタ３との間に認証データ６’に基づいた無線通信路５を形成可能とする。
【００３６】
したがって、無線通信路５では、通信内容のすべてが認証カード４の認証情報６と関連する認識データ６’に基づいて暗号化された情報を、通信することが可能となる。
【００３７】
上記のように、端末機器２は、認証カード４の承認が完了したと判定すると、端末機器制御部２４のアプリケーションソフト２４１は決済情報２７を決済情報記憶部２８から読み出し、これを無線制御部２１２へ入力する。決済情報２７を入力された無線制御部２１２は認識データ６’によって決済情報２７を暗号化し、これを無線信号部２１１と無線通信路５を介してレジスタ３へ送信する。
【００３８】
暗号化された決済情報２７をレジスタ３の無線信号部３１を介して受信した認証カード４の無線制御部４２は、暗号化に使われたのと同じ認識データ６’を用いて復号化を行い、これをカード制御部４６へ出力する。決済情報２７を受け取ったカード制御部４６のアプリケーションは、これを情報端子４４とデータ端子３３を介してレジスタ３の決済処理部３５へ出力する。決済処理部３５は入力された決済情報２７に基づいてユーザ１に対する課金処理を実行する。
【００３９】
課金処理が完了すると決済情理部３５はユーザ１に対してこのことを通知するための完了情報３６をデータ端子３３を介して認証カード４へ出力し、認証カード４はこれを無線制御部４を介してレジスタ３の無線信号部３１から発信する。完了情報３６を受信した端末機器２では、アプリケーションソフト２４１が完了情報３６に基づいて入出力インターフェース２４２によりユーザ１に対して確認を求め、ユーザ１がこれに応答するとアプリケーションソフト２４２は無線制御部２１２を介してこの応答を認証カード４へ伝える。
【００４０】
すると、カード制御部４６のアプリケーションは無線制御部４２に対して無線通信路５の切断を指示する。無線通信路５が切断されたら、ユーザ１は認証カード４をレジスタ３と切り離し、すべての支払い処理が完了する。
【００４１】
上記のように、本実施の実施の形態によれば、ユーザの決済情報を安全にレジスタへ転送するために利用する無線通信路の形成は、認証情報を保持した認証カードとユーザの端末機器とによって確立され、この際認証情報と関連する認証データはレジスタに受け渡されない。よって、無線通信路の形成に必要な認証データが外部に漏れる心配がなく、かつ最初に認証カードに認証情報を登録した後は、面倒な操作を伴うことなく通信路を確立できるので、ユーザの使い勝手と情報の安全性を高めることが可能になる。
【００４２】
なお、本実施の形態において、図面を用いた説明をしてしていないが、認証情報の登録をする時２つの固有情報に加えてユーザが任意に設定できるデータを加えることにより、万が一カードを紛失した場合でも、ユーザ設定のデータを変えることにより新しい認証情報を生成可能にして、紛失したカードが不正に利用されないようにできることは周知のとおりである。
【００４３】
図６は、本発明の第二の実施の形態に係わる認証カードの詳細な構成を示すものである。本実施の形態が、第一の実施の形態と異なる点は、認証カード４が無線信号部４９を内蔵し、外部機器との接続にアンテナ端子５０を設けた点にある。
【００４４】
図６において、４９は第一の実施の形態のレジスタ３が内蔵している無線信号部３１と同等の機能を有する無線信号部で、アンテナ端子５０を介して外部のアンテナと接続し、相手端末との間で無線による信号の受発信を行う。
【００４５】
また図７は、本実施の形態におけるレジスタ３の詳細な構成を示すものである。本実施の形態では、認証カード４に無線信号部が内蔵されているので、レジスタ３にはアンテナ３４のみが実装されている。
【００４６】
図７において、３７は図６の認証カード４のアンテナ端子５０と接続するための信号端子で、アンテナ３４と接続されている。
【００４７】
なお図６と図７において、第一の実施の形態と均等なものには同一番号を付し、その説明は重複を避けるために割愛する。
【００４８】
次に、本実施の形態の動作を図６と図７を用いて説明する。
【００４９】
本実施の形態では、認証カード４に無線信号部４９が含まれることから、認証カード４はレジスタ３に接続されたことを情報端子４４を介して決済処理部３５に接続されたことによって検出するようにする。
【００５０】
したがって、ユーザ１によって認証カード４がレジスタ３に接続されると、カード制御部４６が接続されたことを検出し、内蔵するアプリケーションを起動する。そしてアプリケーションが無線制御部４２に対して無線接続処理を開始するように指示することによって、後は第一の実施の形態と同様に端末固有情報２５によって、ユーザ１の端末機器２を無線で呼び出し、ついで認証データによる承認処理を双方の無線制御部で実行し、認証データが双方で一致したことを確認できたら、暗号化された情報の送受信を開始して、認証カードが端末機器２から決済情報２７を取寄せ、カード制御部４６を介して決済情報２７を決済処理部３５へ転送し、最後に決済処理部３５が決済を実行するように動作する。
【００５１】
以上の様に、本実施の形態によれば、第一の実施の形態と同様に、認証情報と関連する認証データをレジスタに受け渡さなくとも無線通信路を形成可能にして、決済情報をレジスタへ転送することが可能となる。
【００５２】
なお第一の実施の形態、第二の実施の形態のいずれの構成においても、相手機器としては、レジスタだけでなく、自動販売機や券売機など電子決済を可能にする機器、および入場機器等に利用可能であることは容易に類推可能である。
【００５３】
【発明の効果】
本発明によれば、相手の電子機器に認証情報または該認証情報と関連の認証データを受け渡さなくとも、認証情報または該認証情報と関連の認証データに基づいた無線通信路を形成可能とする無線システムおよびそれに用いる認証カード、電子機器ならびに端末機器を得ることができる。
【図面の簡単な説明】
【図１】本発明の第一の実施の形態に係わる無線システムの概念図である。
【図２】本発明の第一の実施の形態の端末機器の詳細な構成を示す図である。
【図３】本発明の第一の実施の形態のレジスタの詳細な構成を示す図である。
【図４】本発明の第一の実施の形態の認証カードの詳細な構成を示す図である。
【図５】認証情報を端末機器と認証カードに設定するときの動作の流れを示す図である。
【図６】本発明の第二の実施の形態に係わる認証カードの詳細な構成を示す図である。
【図７】本発明の第二実施の形態におけるレジスタの詳細な構成を示す図である。
【符号の説明】
１…ユーザ、２…端末機器、３…レジスタ、４…認証カード、５…無線通信路、６…認証情報、６’…認証データ、２１…無線通信部、２１１…無線信号部、２１２…無線制御部、２１３…端末固有情報記憶部、２２…機器端子、２３…認証情報記憶部、２４…端末機器制御部、２５…端末固有情報、２６…アンテナ、２７…決済情報、２８…決済情報記憶部、３１…無線信号部、３２…制御端子、３３…データ端子、３４…アンテナ、３５…決済処理部、３７…信号端子、４１…認証情報記憶部、４２…無線制御部、４３…無線端子、４４…情報端子、４５…認証端子、４６…カード制御部、４７…カード固有情報記憶部、４８…カード固有情報、４９…無線信号部、５０…アンテナ端子。
【図１】
2004096317.tif 000003
【図２】
2004096317.tif 000004
【図３】
2004096317.tif 000005
【図４】
2004096317.tif 000006
【図５】
2004096317.tif 000007
【図６】
2004096317.tif 000008
【図７】
2004096317.tif 000009